(57)【要約】【課題】  追加基板及び追加リード線等を設けることなく掃除機本体内に匂いを分解する分解部及び紫外線発光部を配設可能にした電気掃除機を提供する。【解決手段】  塵埃を集塵する集塵部２２と、この集塵部２２に吸込負圧を作用させる電動送風機２３と、回路室５７とを掃除機本体２１内に設け、前記電動送風機２３を制御する制御回路を設けた回路基板５８を回路室５７に配置した電気掃除機２０であって、光触媒により匂いを分解する分解部５９を回路室５７に設け、分解部５９に向けて紫外線を発する発光ダイオード６０を回路基板５８に設けてある。【選択図】            図２
2006217941.tif 000002
【特許請求の範囲】
【請求項１】
塵埃を集塵する集塵部と、この集塵部に吸込負圧を作用させる電動送風機と、回路室とを掃除機本体内に設け、前記電動送風機を制御する制御回路を設けた回路基板を前記回路室に配置した電気掃除機であって、
光触媒により匂いを分解する分解部を前記回路室に設け、
前記分解部に向けて紫外線を発する紫外線発光部を前記回路基板に設けたことを特徴とする電気掃除機。
【請求項２】
前記電動送風機から排出される排気風を前記掃除機本体の排気口から排気させる排気風路と前記回路室とが連通していることを特徴とする請求項１に記載の電気掃除機。
【発明の詳細な説明】
【技術分野】
【０００１】
本発明は、光触媒を利用して掃除機本体内の脱臭を行う電気掃除機に関するものである。
【背景技術】
【０００２】
従来、塵埃と空気を集塵部に吸引して塵埃を捕集する電気掃除機においては、集塵部内の塵埃に含まれる細菌等の繁殖や悪臭等を抑制するために、集塵部の上方に匂いを分解する光触媒フィルタ（分解部）及びこの光触媒を活性化させる紫外線発光部を配置したものが知られている（例えば、特許文献１参照）。
【０００３】
上記電気掃除機の概略構成を図５に基づいて説明する。図５において、掃除機本体１の前部側には集塵部を構成する集塵室２が設けられており、この集塵室２には塵埃を捕集する集塵フィルタ３が配設されている。電動機室４内に配設された電動送風機５は、集塵室２に吸込負圧を作用させて塵埃を集塵フィルタ３内に捕捉させると共に濾過された空気は、電動送風機５から矢印で示すように機外に排出させている。
【０００４】
また、電動機室４の上方に設けられた回路室６内には、電動送風機５等を制御する制御回路が設けられた回路基板７が配設されている。
【０００５】
掃除機本体１の前部には、ヒンジ８を中心として矢印９ａ方向に開閉自在の蓋９が設けられており、この蓋９の下方、すなわち集塵室２の上方には光触媒フィルタ１０が配設され、蓋９には光触媒フィルタ１０に光を当てるための透明な窓９ｂが形成されている。
【０００６】
光触媒フィルタ１０は、窓９ｂからの光を受けることにより活性化されて集塵室２内の殺菌及び消臭をするようになっている。
【０００７】
しかし、夜間等では光触媒フィルタ１０に光が充分に当たらないため、その光触媒フィルタ１０の機能を充分に発揮することができないという問題があった。
【０００８】
そこで、図５に示すように、蓋９に紫外線発光部１１を設けたものが考えられている。
【特許文献１】特開２００４−２３０１３４号公報
【発明の開示】
【発明が解決しようとする課題】
【０００９】
しかしながら、このような電気掃除機では、回路基板７と紫外線発光部１１とが離れた位置にあるため、追加基板（図示せず）や追加リード線１２を設けて回路基板７と紫外線発光部１１を電気的に接続させる必要があり、このためコストアップになるという問題がある。
【００１０】
さらに、蓋９はヒンジ８により開閉動作するため、蓋９を開成した際に追加リード線１２が露出したり、蓋９の開閉動作により追加リード線１２が切断したりしないように配線しなければならないので、その配線構造が複雑になり、さらにコストアップになってしまうという問題がある。
【００１１】
本発明の目的は、追加基板及び追加リード線が不要となる電気掃除機を提供することにある。
【課題を解決するための手段】
【００１２】
本発明は、上述事情に鑑みなされたものであって、塵埃を集塵する集塵部と、この集塵部に吸込負圧を作用させる電動送風機と、回路室とを掃除機本体内に設け、前記電動送風機を制御する制御回路を設けた回路基板を前記回路室に配置した電気掃除機であって、光触媒により匂いを分解する分解部を前記回路室に設け、前記分解部に向けて紫外線を発する紫外線発光部を前記回路基板に設けたことを特徴としている。
【発明の効果】
【００１３】
本発明によれば、光触媒により匂いを分解する分解部を回路室に設け、この分解部に向けて紫外線を発する紫外線発光部を前記回路室の回路基板に設けたので、追加基板及び追加リード線等を設ける必要がない。そのため、配線作業が不要となり、作業効率が向上すると共にコストダウンを実現することができる。
【発明を実施するための最良の形態】
【００１４】
以下、本発明の実施の形態を図面に基づいて説明する。
【実施例１】
【００１５】
図１は、本発明が適用されている電気掃除機２０の全体を示している。
【００１６】
この電気掃除機２０の掃除機本体２１内には、前部側に設けられた集塵部としての集塵室２２と、この集塵室２２の後部側に設けられていて集塵室２２内に吸込負圧を作用させる電動送風機２３とが設けられている。集塵室２２内には、紙パックフィルタである集塵フィルタ２５が着脱可能に設けられている。
【００１７】
符号２６は一端に設けられた接続部２７が掃除機本体２１の接続口２８に着脱可能に接続されたホースであって、このホース２６の他端には手元操作管２９が設けられている。この手元操作管２９には、操作スイッチ（図示せず）を有する手元操作部３０が設けられている。
【００１８】
手元操作管２９には、延長管３１が着脱可能に接続されており、この延長管３１の先端には吸込口体３２が着脱可能に接続されている。吸込口体３２は、底面に吸込開口（図示せず）を有する図示しない吸込室を有している。この吸込口体３２の吸込室は、延長管３１やホース２６を介して掃除機本体２１の集塵室２２に連通している。
【００１９】
図２は掃除機本体２１の縦断側面図を示している。なお、掃除機本体２１の後部には、左右１対の車輪３３（一方は図示せず）が設けられ、前部には旋回輪３４が設けられている。
【００２０】
掃除機本体２１は、上方に開放している下ケース３６と、下ケース３６の後部側の上部を覆う上ケース３７と、上ケース３７の前に開閉自在に取り付けられると共に、集塵室２２の上部開口を覆う透明な集塵室カバー３８等を備えている。上ケース３７には、図３に示すように透明又は半透明の窓６１が形成されている。この集塵室カバー３８は、ヒンジ５１により矢印５２方向に開閉動作するものである。
【００２１】
集塵室２２の上部には、光触媒フィルタ５５が着脱可能に配置され、この光触媒フィルタ５５に集塵室カバー３８を透過した光が当たるようになっている。集塵室２２の後部には、２次フィルタ５０が設けられている。集塵室２２は、２次フィルタ５０及び格子部４７を介して電動送風機２３の吸込開口２３Ａに連通している。
【００２２】
掃除機本体２１の後部には、電動機室３９と、電動機室３９の上に形成された回路室５７と、電動機室３９の後ろ側の排気室（排気風路）４３とが形成されている。電動機室３９と回路室５７は区画壁４０により区画され、回路室５７と排気室４３とは連通している。
【００２３】
また、電動送風機２３はカバー４５により覆われており、電動ケース６２の排気口６３から排出される空気はカバー４５の穴４５Ａ及び区画壁４０の穴４０Ａを介して排気室４３へ排出されるようになっている。排気室４３へ排出された空気は、掃除機本体２１の後壁部２１Ａの本体排気口６６から外へ排気される。
【００２４】
回路室５７には、区画壁４０に取り付けられた回路基板５８と、この回路基板５８の上方に光触媒フィルタ５９が配置されている。回路基板５８には、電動送風機２３等を制御する制御回路等が設けられている。
【００２５】
また、回路基板５８には、紫外線を発光する発光ダイオード（紫外線発光部）６０が設けられており、この発光ダイオード６０は紫外線を光触媒フィルタ５９に照射するようになっている。発光ダイオード６０は、図示しない電源プラグをコンセントに接続すると発光するようになっている。
【００２６】
［動作］
次に、上記のように構成された電気掃除機の動作について説明する。
【００２７】
先ず、図示しない電源コードの電源プラグをコンセントに接続する。この接続により、回路室５７の回路基板５８の紫外線発光部６０が発光する。
【００２８】
そして、手元操作部３０の操作スイッチ（図示せず）の操作により電動送風機２３が駆動されると集塵室２２が負圧となる。この負圧がホース２６，手元操作管２９，延長管３１を介して吸込口体３２の吸込室（図示せず）に作用し、吸込口体３２の吸込室の吸込開口（図示せず）から被清掃面上の塵埃及び空気が吸い込まれ、延長管３１，手元操作管２９，ホース２６を介して掃除機本体２１の集塵室２２へ吸い込まれていく。
【００２９】
集塵室２２へ吸い込まれた塵埃は、集塵室２２内に装着された集塵フィルタ２５に捕集され、集塵フィルタ２５を通過した空気は２次フィルタ５０等を介して電動送風機２３の吸込開口２３Ａへ吸引されていく。
【００３０】
この吸込開口２３Ａへ吸引された空気は、電動送風機２３のモータ内を通って電動ケース６２の排気口６３から搬出され、さらにカバー４５の穴４５Ａ及び区画壁４０の穴４０Ａを介して排気室４３に排出され、そして掃除機本体２１の後壁部２１Ａの本体排気口６６から排気されていく。
【００３１】
一方、集塵室２２の光触媒フィルタ５５は、集塵室カバー３８を透過した光を受けて活性化し、集塵フィルタ２５で発生する匂いの消臭や殺菌が行われる。
【００３２】
他方、回路室５７の紫外線発光部６０の発光により、紫外線発光部６０からの紫外線が光触媒フィルタ５９を照射する。これにより、光触媒フィルタ５９は活性化して、排気室４３から回路室５７へ回り込んできた匂いの消臭や殺菌を行う。
【００３３】
また、紫外線発光部６０が発光していないときには、光触媒フィルタ５９は上ケース３７の窓６１を透過した光を受けることにより活性化して上述の消臭や殺菌を行う。
【００３４】
ところで、紫外線発光部６０は回路基板５８に設けられていることにより、追加基板や追加リード線を設ける必要がなく、このため部品点数や組立工数を低減することができ、コストの削減を図ることができる。
【００３５】
〈変形例〉
図２に示す掃除機本体２１は、排気室４３と回路室５７とを連通しているが、図４に示すように、回路室５７と排気室４３とをリブ７１，７２によって区画してもよい。この場合も、リブ７１，７２とが通気性をもって整合されていないことにより、排気室４３からリブ７１，７２の接合面を介して回路室５７へ回り込んだ匂いの消臭や殺菌を行うことができる。
【００３６】
このように、電動送風機２３からの排気風路６５から回路室５７を区画した構成の掃除機本体７０においても、本発明を適用することができて、回路室５７は発光ダイオード６０及び光触媒フィルタ５９の活性作用により匂いの除去や殺菌等をすることができる。
【００３７】
以上説明した本発明の実施の形態の電気掃除機は、塵埃を集塵する集塵部（２２）と、この集塵部（２２）に吸込負圧を作用させる電動送風機（２３）と、回路室（５７）とを掃除機本体（２１）内に設け、前記電動送風機（２３）を制御する制御回路を設けた回路基板（５８）を回路室（５７）に配置した電気掃除機（２０）であって、光触媒により匂いを分解する分解部（５９）を回路室（５７）に設け、分解部（５９）に向けて紫外線を発する紫外線発光部（６０）を回路基板（５８）に設けてある。
【００３８】
この構成では、光触媒により匂いを分解する分解部（５９）を回路室（５７）に設け、この分解部（５９）に向けて紫外線を発する紫外線発光部（６０）を前記回路室（５７）の回路基板（５８）に設けたので、追加基板及び追加リード線等を設ける必要がない。このため、配線作業が不要となり、作業効率が向上すると共にコストダウンを実現することができる。
【００３９】
また、本発明の実施の形態の電気掃除機は、電動送風機（２３）から排出される排気風を掃除機本体（２１）の排気口（６６）から排気させる排気風路（６５）と回路室（５７）とが連通している。
【００４０】
この構成では、電動送風機（２３）から排出される排気風を掃除機本体（２１）の排気口（６６）から排気させる排気風路（６５）と回路室（５７）とが連通しているので、排気風路（６５）を通過する排気を回路室（５７）内の紫外線発光部（６０）及び光触媒フィルタ（５９）により殺菌及び消臭することができて、掃除機本体（２１）の排気口（６６）からは匂いを抑制された清浄な空気を排気することができる。
【図面の簡単な説明】
【００４１】
【図１】本発明が適用されている電気掃除機の全体斜視図である。
【図２】掃除機本体の縦断側面図である。
【図３】掃除機本体の外観斜視図である。
【図４】本発明の変形例を示す掃除機本体の縦断側面図である。
【図５】従来の掃除機本体の概略を示す縦断側面図である。
【符号の説明】
【００４２】
２０           電気掃除機
２１           掃除機本体
２２           集塵室（集塵部）
２３           電動送風機
５７           回路室
５８           回路基板
５９           光触媒フィルタ（分解部）
６０           紫外線発光部
６５           排気風路
６６           本体排気口
【図１】
2006217941.tif 000003
【図２】
2006217941.tif 000004
【図３】
2006217941.tif 000005
【図４】
2006217941.tif 000006
【図５】
2006217941.tif 000007